(57)【要約】【課題】脱穀処理能力の向上を図ることが可能な普通型コンバインの脱穀装置を提供する。【解決手段】扱室１９内に、回転駆動される扱胴２１と、その扱胴２１の下方外周部に沿う略半円筒状の受網２２とが備えられ、刈取部にて刈り取られた作物の全部が扱室１９に投入されるように構成され、受網２２は、その扱胴回転方向下手側の端部が扱胴回転方向上手側の端部よりも設定量高く位置する状態で配備されている。【選択図】図４
2014014327.tif 000002
【特許請求の範囲】
【請求項１】
扱室内に、回転駆動される扱胴と、その扱胴の下方外周部に沿う略半円筒状の受網とが備えられ、刈取部にて刈り取られた作物の全部が前記扱室に投入されるように構成されている普通型コンバインの脱穀装置であって、
前記受網は、その扱胴回転方向下手側の端部が前記扱胴回転方向上手側の端部よりも設定量高く位置する状態で配備されている普通型コンバインの脱穀装置。
【請求項２】
前記受網の前記扱胴回転方向下手側部分が、前記扱胴の上方側に重なり合うように、前記扱胴の軸芯方向視で前記扱胴回転方向に沿う湾曲形状に構成されている請求項１記載の普通型コンバインの脱穀装置。
【請求項３】
前記扱室の内部において脱穀処理物を前記扱胴の軸芯方向に沿って移送させる送塵弁が、前記扱室の上方を覆う天板の前記扱胴回転方向下手側箇所に備えられている請求項１又は２記載の普通型コンバインの脱穀装置。
【請求項４】
前記受網の前記扱胴回転方向下手側の端部と前記送塵弁の前記扱胴回転方向上手側の端部との間に空間が形成されている請求項３記載の普通型コンバインの脱穀装置。
【請求項５】
前記扱室の上方を覆う天板が、前記扱室の上方を塞ぐ閉状態と前記扱室に上方を開放する開状態とにわたり揺動開閉自在に構成され、
前記天板に、前記閉状態において前記受網の前記扱胴回転方向下手側の端部を受止め支持する受網支持部が備えられている請求項１〜４のいずれか１項に記載の普通型コンバインの脱穀装置。
【請求項６】
前記受網が、前記扱胴回転方向に沿って分割された上手側受網構成体と下手側受網構成体とを備えて構成され、
前記上手側受網構成体と前記下手側受網構成体とが、各別に着脱自在に且つ装着状態で一体的に連結される状態で備えられている請求項１〜５のいずれか１項に記載の普通型コンバインの脱穀装置。
【請求項７】
前記上手側受網構成体と前記下手側受網構成体とが前記受網における最下端部に対応する箇所にて連結されている請求項６記載の普通型コンバインの脱穀装置。
【請求項８】
前記上手側受網構成体と前記下手側受網構成体とが、前記受網における最下端部に対応する箇所よりも前記回転方向下手側に寄った箇所にて連結されている請求項６記載の普通型コンバインの脱穀装置。
【請求項９】
前記扱室の左右両横側における上部側箇所に、前記扱胴の軸芯方向に沿って延びる支持フレームが備えられ、
前記左右両側の支持フレームのうち、前記受網の前記扱胴回転方向下手側部分が対向する支持フレームが、前記扱室の側壁の外方側に位置する状態で配備され、
前記受網の前記扱胴回転方向下手側部分と前記扱室の側壁との間に、処理物通過用の空間が形成されている請求項１〜８のいずれか１項に記載の普通型コンバインの脱穀装置。
【請求項１０】
前記左右両側の支持フレームのうち、前記受網の前記扱胴回転方向上手側部分が対向する支持フレームに、前記受網の前記扱胴回転方向上手側の端部が連結固定されている請求項９記載の普通型コンバインの脱穀装置。
【請求項１１】
前記受網の前記扱胴回転方向上手側の端部に、処理物を案内する案内部が備えられている請求項１０記載の普通型コンバインの脱穀装置。
【請求項１２】
前記案内部の上方に処理物通過用の空間が形成されている請求項１１記載の普通型コンバインの脱穀装置。
【請求項１３】
前記扱室の内部において脱穀処理物を前記扱胴の軸芯方向に沿って移送させる送塵弁が、前記扱室の上方を覆う天板の前記扱胴回転方向下手側箇所に備えられ、
前記送塵弁による処理物移送量を変更調整自在な手動操作式の送塵弁レバーが、機体横側外方に延出する状態で備えられている請求項１〜１２のいずれか１項に記載の普通型コンバインの脱穀装置。
【発明の詳細な説明】
【技術分野】
【０００１】
本発明は、扱室内に、回転駆動される扱胴と、その扱胴の下方外周部に沿う略半円筒状の受網とが備えられ、刈取部にて刈り取られた作物の全部が前記扱室に投入されるように構成されている普通型コンバインの脱穀装置に関する。
【背景技術】
【０００２】
従来の普通型コンバインの脱穀装置では、受網は、その扱胴回転方向下手側の端部と扱胴回転方向上手側の端部とが同じ又は略同じ高さに位置する状態で備えられていた（例えば、特許文献１参照。）。
【先行技術文献】
【特許文献】
【０００３】
【特許文献１】特開２０１０−２３３４７５号公報
【発明の概要】
【発明が解決しようとする課題】
【０００４】
普通型コンバインの脱穀装置では、扱室内に投入される作物は、自重により受網の下端部付近に留まろうとするが、処理物は回転する扱胴によって連れ回りすることにより、受網の下端部付近の箇所よりも扱胴回転方向下手側に位置する領域において作物が滞留し易いものとなる。
【０００５】
上記従来構成では、受網が、扱胴回転方向下手側の端部と扱胴回転方向上手側の端部とが同じ又は略同じ高さに位置する状態で備えられものであるから、受網の下端部付近の箇所から扱胴回転方向下手側端部に至るまでの領域は、扱胴回転方向に沿って短めのものとなり、その結果、例えば、投入される作物の量が多くなったような場合に、受網の下端部付近の箇所よりも扱胴回転方向下手側に位置する領域において、多く滞留する処理物の脱穀処理が充分に行われないおそれがあり、脱穀処理能力が低下するおそれがある。
【０００６】
本発明の目的は、脱穀処理能力の向上を図ることが可能な普通型コンバインの脱穀装置を提供する点にある。
【課題を解決するための手段】
【０００７】
本発明に係る普通型コンバインの脱穀装置は、扱室内に、回転駆動される扱胴と、その扱胴の下方外周部に沿う略半円筒状の受網とが備えられ、刈取部にて刈り取られた作物の全部が前記扱室に投入されるように構成されているものであって、その第１特徴構成は、前記受網は、その扱胴回転方向下手側の端部が前記扱胴回転方向上手側の端部よりも所定量高く位置する状態で配備されている点にある。
【０００８】
第１特徴構成によれば、受網は、その扱胴回転方向下手側の端部が扱胴回転方向上手側の端部よりも所定量高く位置する状態で配備されている。つまり、受網は、下端部に位置する箇所から扱胴回転方向下手側の端部に至るまでの扱胴回転方向下手側に位置する領域が、扱胴回転方向に沿って長く形成されることになる。
【０００９】
このように、扱胴回転方向下手側に位置する領域が、扱胴回転方向に沿って長く形成されることから、その領域において、扱胴と受網との協働による脱粒処理を促進させることが可能となって、脱穀処理を充分に行わせて脱穀処理能力を向上させることが可能となる。
【００１０】
本発明の第２特徴構成は、前記受網の前記扱胴回転方向下手側部分が、前記扱胴の上方側に重なり合うように、前記扱胴の軸芯方向視で前記扱胴回転方向に沿う湾曲形状に構成されている点にある。
【００１１】
第２特徴構成によれば、受網の扱胴回転方向下手側部分が扱胴回転方向に沿う湾曲形状に構成されており、略円筒状の受網における最横側端部位置を越えて、扱胴の上方側に重なり合うように上方に向けて延出されることになる。
【００１２】
その結果、上記構成によれば、最横側端部位置を越えて上方に延びる領域においても、受網と扱胴とを近づけた状態で脱粒処理を十分に促進させることが可能となり、脱穀処理能力の向上に寄与できるものとなる。
【００１３】
本発明の第３特徴構成は、前記扱室の内部において脱穀処理物を前記扱胴の軸芯方向に沿って移送させる送塵弁が、前記扱室の上方を覆う天板の前記扱胴回転方向下手側箇所に備えられている点にある。
【００１４】
第３特徴構成によれば、送塵弁が扱室の上方を覆う天板の扱胴回転方向下手側箇所に備えられるから、天板の扱胴回転方向上手側箇所において、天板に近づくように受網が高い位置にまで延出されていても、受網によって阻害されることなく、送塵弁により処理物を移送させる機能を良好に発揮させることができる。
【００１５】
本発明の第４特徴構成は、前記受網の前記扱胴回転方向下手側の端部と前記送塵弁の前記扱胴回転方向上手側の端部との間に空間が形成されている点にある。
【００１６】
第４特徴構成によれば、受網と送塵弁との間に空間が形成されているから、扱胴と受網との協働により扱き処理されていた処理物が、受網の扱胴回転方向下手側の端部から外れたのちは前記空間にて開放された状態となる。その結果、例えば、扱き処理されて絡まっていた処理物が空間にて開放されて解され、詰まり等が発生するおそれが少なく送塵弁による送り作用を良好に行うことが可能となる。
【００１７】
本発明の第５特徴構成は、前記扱室の上方を覆う天板が、前記扱室の上方を塞ぐ閉状態と前記扱室の上方を開放する開状態とにわたり揺動開閉自在に構成され、前記天板に、前記閉状態において前記受網の前記扱胴回転方向下手側の端部を受止め支持する受網支持部が備えられている点にある。
【００１８】
第５特徴構成によれば、天板が閉じ状態に切り換わると、天板によって扱室の上方を塞いで脱穀処理を行うことができ、天板を開状態に切り換えることにより、扱室の上方を開放させて、脱穀作業終了後のメンテナンス作業や詰まっている処理物の除去作業等を能率よく行うことができる。
【００１９】
そして、天板を閉状態に切り換えると、天板に備えられた受網支持部が受網の扱胴回転方向下手側の端部を受止め支持することになる。つまり、脱穀処理能力を向上させるために、扱胴回転方向下手側に位置する領域が扱胴回転方向に沿って長く形成される受網の端部が受網支持部により支持されるので、受網が安定した状態となり扱き処理を良好に行うことができる。
【００２０】
本発明の第６特徴構成は、前記受網が、前記扱胴回転方向に沿って分割された上手側受網構成体と下手側受網構成体とを備えて構成され、前記上手側受網構成体と前記下手側受網構成体とが、各別に着脱自在に且つ装着状態で一体的に連結される状態で備えられている点にある。
【００２１】
第６特徴構成によれば、受網が上手側受網構成体と下手側受網構成体とに分割され、しかも、それらが各別に着脱自在であるから、労力負担の少ない状態で受網の着脱作業を行うことができ、又、装着状態では、上手側受網構成体と下手側受網構成体とが一体的に連結されてガタツキのない状態で脱穀処理を良好に行える。
【００２２】
本発明の第７特徴構成は、前記上手側受網構成体と前記下手側受網構成体とが前記受網における最下端部に対応する箇所にて連結されている点にある。
【００２３】
第７特徴構成によれば、上手側受網構成体と下手側受網構成体とを連結する作業や連結を解除する作業を行う場合、それらが受網における最下端部に対応する箇所にて連結されているから、扱室の左右横側外方のうち左右いずれの側からでも作業を容易に行うことができる。
【００２４】
本発明の第８特徴構成は、前記上手側受網構成体と前記下手側受網構成体とが、前記受網における最下端部に対応する箇所よりも前記回転方向下手側に寄った箇所にて連結されている点にある。
【００２５】
第８特徴構成によれば、上手側受網構成体と下手側受網構成体とを連結する箇所が最下端部に対応する箇所よりも回転方向下手側に寄った箇所に位置する。この上手側受網構成体と下手側受網構成体とを連結する箇所は、それらを連結させるためにフランジ部等が扱胴の半径方向外方に突出する状態になるが、受網の最下端部に対応する箇所よりも回転方向下手側に寄った箇所に設けられるので、受網の最下端部に対応する箇所に位置するものに比べて、受網の下端位置から下方側への突出量が少なくなる。
【００２６】
その結果、受網の下方に位置する揺動選別装置上を移送する処理物が受網の下方突出部分にて引っ掛かるおそれが少なくなり、処理物の移送を行い易いものにできる。
【００２７】
本発明の第９特徴構成は、前記扱室の左右両横側における上部側箇所に、前記扱胴の軸芯方向に沿って延びる支持フレームが備えられ、前記左右両側の支持フレームのうち、前記受網の前記扱胴回転方向下手側部分が対向する支持フレームが、前記扱室の側壁の外方側に位置する状態で配備され、前記受網の前記扱胴回転方向下手側部分と前記扱室の側壁との間に、処理物通過用の空間が形成されている点にある。
【００２８】
第９特徴構成によれば、扱室の左右両横側における上部側箇所に備えられた扱胴の軸芯方向に沿って延びる支持フレームにより受網や扱胴等の荷重が支持される。そして、左右両側の支持フレームのうちの扱胴回転方向下手側部分が対向する支持フレームが、扱室の側壁の外方側に位置する状態で備えられるので、扱胴の軸芯方向に沿って延びる支持フレームによって、受網や扱胴等の荷重を有効に支持することができる。
【００２９】
又、受網の扱胴回転方向下手側部分と扱室の側壁との間に、処理物通過用の空間が形成されるので、受網の扱胴回転方向下手側部分において、受網と扱胴とによる脱粒処理が行われた後の処理物が、受網の扱胴回転方向下手側部分と扱室の側壁との間に形成された処理物通過用の空間を通して扱室の下方側の選別部等に供給される。
【００３０】
従って、扱胴の軸芯方向に沿って延びる支持フレームによって、受網や扱胴等の荷重を有効に支持するようにしながら、扱胴回転方向下手側に位置する領域を扱胴回転方向に沿って長く形成することで、扱胴と受網との協働による脱粒処理を促進させることができるとともに、脱粒処理が行われた後の処理物が扱室の下方側の選別部等に良好に供給されることになり、脱穀処理能力をより一層向上させることができる。
【００３１】
本発明の第１０特徴構成は、前記左右両側の支持フレームのうち、前記受網の前記扱胴回転方向上手側部分が対向する支持フレームに、前記受網の前記扱胴回転方向上手側の端部が連結固定されている点にある。
【００３２】
第１０特徴構成によれば、受網の扱胴回転方向上手側の端部が支持フレームに連結固定されるので、扱胴の回転駆動によってその回転方向に連なって移動するような引張り力が受網に加えられても、受網を強固に支持することができ、安定した脱穀処理を継続して行うことができる。
【００３３】
本発明の第１１特徴構成は、前記受網の前記扱胴回転方向上手側の端部に、処理物を案内する案内部を備えてある点にある。
【００３４】
第１１特徴構成によれば、受網の扱胴回転方向上手側の端部に案内部が備えられるので、処理物が扱室と受網との間の処理空間に案内されて良好な脱穀処理が行われる。
【００３５】
本発明の第１２特徴構成は、前記案内部の上方に処理物通過用の空間が形成されている点にある。
【００３６】
第１２特徴構成によれば、前記案内部の上方箇所、すなわち、送塵弁の回転方向下手側端部と案内部との間の箇所に、処理物通過用の空間が形成されるので、送塵弁により移送された後の処理物が、前記空間にて開放されて解されたのち案内部にて案内されることになるので、受網の回転方向上手側端部にて詰まり等が発生するおそれが少なく、良好な脱穀処理を行えるものとなる。
【００３７】
本発明の第１３特徴構成は、前記扱室の内部において脱穀処理物を前記扱胴の軸芯方向に沿って移送させる送塵弁が、前記扱室の上方を覆う天板の前記扱胴回転方向下手側箇所に備えられ、前記送塵弁による処理物移送量を変更調整自在な手動操作式の送塵弁レバーが、機体横側外方に延出する状態で備えられている点にある。
【００３８】
第１３特徴構成によれば、送塵弁により処理物を移送させる機能を良好に発揮させることができるものでありながら、送塵弁レバーが機体横側外方に延出しているので、送塵弁による処理物移送量を変更調整するときは、作業者は機体の横側外方から容易に手動操作することができる。
【図面の簡単な説明】
【００３９】
【図１】普通型コンバインの全体側面図である。
【図２】普通型コンバインの全体平面図である。
【図３】脱穀装置の縦断側面図である。
【図４】脱穀装置上部の縦断正面図である。
【図５】脱穀装置の側壁を外した状態での右側面図である。
【図６】脱穀装置の側壁を外した状態での左側面図である。
【図７】上手側受網構成体の斜視図である。
【図８】下手側受網構成体の斜視図である。
【図９】脱穀装置の平面図である。
【図１０】支持枠体の平面図である。
【図１１】扱室入口部の正面図である。
【図１２】扱室入口部の平面図である。
【図１３】別実施形態の脱穀装置上部の縦断正面図である。
【発明を実施するための形態】
【００４０】
以下、図面に基づいて、本発明に係る脱穀装置の実施形態を普通型コンバインに搭載された脱穀装置に適用した場合について説明する。
【００４１】
図１及び図２に示すように、普通型コンバインは、左右一対の操向不能な前輪１と左右一対の操向操作可能な後輪２とを備えた走行車体３の前部に、作物を刈り取って後方に搬送する刈取処理部４が昇降用油圧シリンダ５により横向き支点Ｘ１周りで駆動昇降自在に支持され、走行車体３には、前部側にキャビン６にて覆われた搭乗運転部７、刈取処理部４にて刈り取られた作物の脱穀処理を行う脱穀装置８、その脱穀装置８にて脱穀処理されて得られた穀粒を貯留する穀粒タンク９、駆動用のエンジン１０等が備えられている。
【００４２】
刈取処理部４は、所定の刈幅で植立する作物を刈り取り、刈り取った作物を刈幅方向の中央部に寄せ集める刈取部１１と、刈り取られて中央に寄せ集められた作物を機体後方の脱穀装置８に向けて搬送するフィーダ１２とを備えて構成されている。
【００４３】
刈取部１１は、刈取作物を受け止めて搬送する搬送デッキ１３の左右両側に位置する状態で左右一対の側板１４を備え、左右側板１４の前部に作物を刈取り対象と非刈取り対象とに分草する分草具１５が備えられている。そして、搬送デッキ１３の上方に近接させた状態で、刈り取った作物を刈幅方向中間部に横送りして寄せ集める横送りオーガ１６が、左右の側板１４に亘って架設される状態で備えられている。又、搬送デッキ１３の前端に沿って作物の株元を切断する刈刃１７が備えられ、横送りオーガ１６の前部上方箇所に、刈取対象となる作物の穂先側を後方に向けて掻込む回転リール１８が備えられている。
【００４４】
図３に示すように、脱穀装置８は、フィーダ１２が供給する刈取穀稈に扱き処理を施す脱穀部８Ａ、脱穀部８Ａでの扱き処理で得た選別対象の処理物に選別処理を施す選別部８Ｂ、及び、その選別処理で得た回収対象の処理物を回収する回収部８Ｃが備えられている。
【００４５】
脱穀部８Ａは、扱室１９に、前後向きの扱胴軸２０を中心に正面視右回りに回転することで刈取処理部４からの刈取穀稈に扱き処理を施すバータイプの扱胴２１が備えられている。扱室１９は、扱胴２１を下方から覆う略半円筒状の受網２２、扱胴２１の上方を覆う天板２３、扱胴軸２０の前端部を回転可能に支持する前側縦板部材２４、扱胴軸２０の後端部を回転可能に支持する後側縦板部材２５、及び、フィーダ１２の後端から刈取作物を扱室１９の入口に向けて案内する入口案内板２６などによって区画形成される。
【００４６】
図３に示すように、扱胴２１は、前端部にスクリュー搬送式の掻込部２７が形成され、後部側に扱き処理部２８が形成され、それらが前後に連なる状態で扱胴軸２０を中心に正面視右回りに一体回転するように構成されている。
【００４７】
扱き処理部２８は、その前後端部並びに前後中間部に夫々、円板状の支持板２９を扱胴軸２０に備えて構成され、これらの支持板２９の各外周部に、複数の棒状部材３０が、扱胴軸２０に沿う前後向き姿勢で扱胴軸２０から等距離の位置に扱胴２１の周方向に等間隔で並ぶように連結され、かつ、各棒状部材３０に、複数の扱歯３１が棒状部材３０から扱胴２１の外方に向けて突出する姿勢で前後方向に設定間隔をあけて並ぶように備えられている。
【００４８】
天板２３には、処理物を車体後方に案内する複数の送塵弁３２が前後方向に設定間隔をあけて並ぶように配備されている。この送塵弁３２は、扱胴２１が扱胴軸２０を中心に正面視右回りに回転するのに伴って扱室１９の上部に移動した刈取穀稈や処理物を車体後方側に案内する機能を備える。
【００４９】
図４に示すように、送塵弁３２は、天板２３の内面側において扱胴回転方向下手側箇所、言い換えると、機体横幅方向の左側に相当する箇所に位置する状態で、扱胴回転方向下手側ほど下方に位置する傾斜姿勢で備えられている。説明を加えると、天板２３は、図４に示すように、正面視で扱胴２１の周方向に沿うような上向き略Ｕ字状に形成されており、複数の送塵弁３２は、図４及び図９に示すように、天板２３の扱胴回転方向下手側箇所である左側の傾斜面部分の内面において、機体前後方向（扱胴軸芯方向）に沿って並ぶ状態で且つ機体横方向（扱胴軸芯方向と直交する方向）に対して斜め姿勢となる状態で設けられ、扱胴２１により連れ回りながら扱胴２１の外周部を回動する処理物を受止めて案内しながら機体後方側へ移送させるように構成されている。
【００５０】
複数の送塵弁３２の傾斜角を一体的に変更させて処理物の移送量を変更調整することができる。すなわち、図４及び図９に示すように、各送塵弁３２は、帯板状の部材を縦向き姿勢で備えて構成されており、その長手方向の中間部に位置して斜め姿勢に対応させて傾斜状態で設けられた支点軸３３の軸芯周りで回動自在に天板２３に支持されている。
【００５１】
そして、各送塵弁３２は、機体前後方向に伸びる連係リンク３４が枢支連結されており、複数の送塵弁３２が一体的に夫々の支点軸３３の軸芯周りで回動するように構成されている。つまり、前端部から３つ目の送塵弁３２の支点軸３３に、それと一体回動自在な送塵弁レバー３５が、機体左横側外方に向けて突出する状態で設けられている。すなわち、送塵弁レバー３５は、天板２３の左側の傾斜面部分に沿って機体外方側ほど下方に位置する斜め姿勢で延出され、天板２３の左側端部の機体横側外方に向かう状態で片持ち状に延出する形態で備えられている。
【００５２】
又、天板２３の横側部における送塵弁レバー３５が機体横側外方に延びる箇所には、送塵弁レバー３５を左右揺動可能に受け止め支持する台座３６が備えられ、この台座３６には、ノブ付きの固定ボルト３７が備えられている。この固定ボルト３７により、送塵弁レバー３５を複数の操作位置のうちの任意の操作位置に固定できるように構成されている。
【００５３】
この構成により、脱穀装置８の横側外方から送塵弁レバー３５及び固定ボルト３７を操作することができ、送塵弁レバー３５を操作することで、複数の送塵弁３２を同時に揺動操作することができ、この揺動操作により、脱穀処理中の処理物の各送塵弁３２による脱穀処理方向下手側への送り量を調節することができる。そして、固定ボルト３７で送塵弁レバー３５をいずれかの操作位置に固定することにより、各送塵弁３２を送塵弁レバー３５の操作位置に応じた所定の案内姿勢に固定保持することができる。
【００５４】
図４に示すように、受網２２の扱胴回転方向下手側の端部と送塵弁３２の扱胴回転方向上手側の端部との間は大きく開放された空間Ｑ１が形成されている。又、送塵弁３２の扱胴回転方向上手側の端縁が径方向に対して回転方向下手側に後退するような斜め姿勢に形成されている。このように構成することで、扱き処理されて絡まっていた処理物が空間Ｑ１にて開放されて解され、送塵弁３２の回転方向上手側端縁に引っ掛かり難く滞留するおそれが少ないものとなる。
【００５５】
次に、受網２２について説明する。
図４に示すように、受網２２は、その扱胴回転方向下手側の端部が扱胴回転方向上手側の端部よりも所定量高く位置する状態で配備されている。又、受網２２の扱胴回転方向下手側部分が、扱胴２１の上方側に重なり合うように、扱胴２１の軸芯方向視で扱胴回転方向に沿う湾曲形状に構成されている。
【００５６】
受網２２は、扱胴２１の回転方向に沿って分割された上手側受網構成体３８と下手側受網構成体３９とを備えて構成され、上手側受網構成体３８と下手側受網構成体３９とが、各別に着脱自在に且つ装着状態で一体的に連結される状態で備えられている。具体的には、図４〜図６に示すように、上手側受網構成体３８及び下手側受網構成体３９は、扱胴２１の軸芯方向に沿って２個ずつ備えられ、合計４個の受網構成体３８，３９で受網２２が構成されている。
【００５７】
図７及び図８に示すように、上手側受網構成体３８及び下手側受網構成体３９は、夫々、周方向に所定間隔をあけて並ぶ状態で扱胴２１の軸芯方向に沿うように設けられた複数の横桟４０と、周方向に沿って湾曲形成され且つ軸芯方向に所定間隔をあけて並ぶ状態で設けられた複数の縦桟４１とを、基枠４２に支持させる状態で備えて構成されている。
【００５８】
すなわち、基枠４２は、扱胴２１の回転方向における最上手側に位置して軸芯方向に沿って設けられた上手側枠部材４３と、この上手側枠部材４３の軸芯方向両側部に連結されて周方向に沿って湾曲形成された一対の横側枠部材４４とで構成されている。
【００５９】
複数の横桟４０は夫々、帯板状部材にて構成され、周方向に所定間隔をあけて並ぶ状態で一対の横側枠部材４４同士にわたって架設連結されている。
すなわち、複数の縦桟４１は、例えばピアノ線等からなる丸棒部材にて構成され、各縦桟４１は夫々、回転方向上手側端部が上手側枠部材４３に溶接により連結固定されている。又、回転方向上手側端部以外の箇所では、複数の横桟４０に形成された挿通孔４５を挿通させて横桟４０にて受け止め支持する構成となっている。つまり、回転方向上手側端部以外の箇所では、縦桟４１は、挿通孔４５を挿通するだけであり、横桟４０に連結固定しない構成となっている。
【００６０】
下手側受網構成体３９は、図４及び図８に示すように、複数の縦桟４１が扱胴２１の回転方向における最下手側に位置する横桟４０よりも扱胴２１の回転方向下手側に突出する状態で設けられている。
すなわち、下手側受網構成体３９は、回転方向における最下手側に位置する横桟４０は、一対の横側枠部材４４の回転方向における最下手側端部よりも少しだけ回転方向上手側に寄った位置に設けられており、複数の縦桟４１がその横桟４０よりも扱胴２１の回転方向下手側に突出する状態で設けられている。この縦桟４１の突出側の端部は一対の横側枠部材４４の回転方向における最下手側端部と略同じ位置になるように構成されている。
【００６１】
又、複数の縦桟４１のうち並び方向における所定個数おきに位置する特定の縦桟４１Ａが、それ以外の他の縦桟４１よりも大径の丸棒部材にて構成されて、他の縦桟４１よりも多くの箇所で連結固定されている。具体的には、上手側枠部材４３及び全ての横桟４０に挿通孔４５を挿通させた状態で溶接にて連結固定されている。尚、特定の縦桟４１Ａも含めて複数の縦桟４１同士の隙間は全て同じ間隔に設定されている。
【００６２】
次に、受網２２の取り付け構造について説明する。
図４及び図１０に示すように、扱室１９の左右両横側における上部側箇所に、扱胴２１の軸芯方向に沿って延びる支持フレーム４６，４７が備えられ、受網２２は、支持フレーム４６，４７と、左右両側の支持フレーム４６，４７にわたって架設連結され且つ周方向に湾曲形成された弓形支持体４８と、軸芯方向両側部に位置する仕切り壁４９と、弓形支持体４８と前後の仕切り壁４９にわたって架設支持された受止め支持体５０とにより、支持される構成となっている。
【００６３】
左右両側の支持フレーム４６，４７は、脱穀装置８全体を支持する矩形枠状の支持枠体Ｆの一部を構成するものであり、扱室１９の機体前後幅方向の略全長にわたって設けられている。そして、図４に示すように、左側の支持フレーム４６は、扱室１９の左側の側壁１９Ａの上部側に位置して側壁１９Ａよりも扱室１９の内方側に突出する状態で備えられる。一方、右側の支持フレーム４７は、扱室１９の右側の側壁１９Ｂの外方側に位置する状態で配備され、受網２２の扱胴回転方向下手側部分と扱室１９の右側の側壁１９Ｂとの間に、処理物通過用の空間Ｑ３が形成されている。
【００６４】
又、図１０に示すように、扱室１９の右側の側壁１９Ｂの内方側において受網２２が存在しない箇所、すなわち、掻込部２７が形成される前部側領域、及び、排塵口が形成される後部側領域に対応する箇所には、支持枠体Ｆの一部を構成する強度補強用の角筒状のフレーム体４７Ａが備えられている。
【００６５】
弓形支持体４８は、処理物の通過を阻害しないように処理物移送箇所を迂回するように弓形に湾曲する形状となっており、扱胴２１の軸芯方向中央部に位置する状態で設けられる。
【００６６】
図４及び図６に示すように、左側の支持フレーム４６の下方側に、帯板状の連結部材５１がネジ５２で締め付け固定され、その連結部材５１の下部に支持フレーム４６と同様に扱室１９の機体前後幅方向の略全長にわたって延びるチャンネル材からなる下手側支持体５３がネジ５２で締め付け固定されている。
【００６７】
図４に示すように、連結部材５１は、扱胴回転方向上手側が扱胴２１の回転軸芯から離れた位置にあり、扱胴回転方向下手側が回転軸芯に近づいた位置になるように、接線方向に対して斜め姿勢になる状態で設けられている。
【００６８】
従って、この連結部材５１により、処理物を案内する案内部が構成されている。又、連結部材５１の上方箇所、つまり、連結部材５１の扱胴回転方向上手側端部と、送塵弁３２の扱胴回転方向下手側端部との間の箇所に、処理物通過用の空間Ｑ２が形成されている。このように構成することで、処理物が連結部材５１の扱胴回転方向上手側端部と扱胴２１との間で詰まるおそれが少なくなるようにしている。
【００６９】
上手側受網構成体３８は、下手側支持体５３に対して上手側枠部材４３が上下方向に沿ってネジ５２で締め付け固定され、一対の横側枠部材４４が、左右両側に位置する仕切り壁４９及び弓形支持体４８に対して軸芯方向に沿ってネジ５２で締め付け固定されている。又、図７に示すように、回転方向における最下手側に位置する横桟４０には、軸芯方向に適宜間隔をあけた複数箇所にて取付けブラケット５４が溶接にて一体的に連結されている。そして、図４に示すように、取付けブラケット５４が受止め支持体５０にネジ５２で締め付け固定されている。
【００７０】
このように上手側受網構成体３８は、脱穀装置８の左側外方から作業者がネジ５２を外すことにより装置外方に取り外すことができる。そして、下手側受網構成体３９は、上手側受網構成体３８を取り外すと、脱穀装置８の左側外方からネジ５２を外すことにより、容易に装置外方に取り外すことができる。
【００７１】
すなわち、下手側受網構成体３９は、図８に示すように、上手側枠部材４３に、軸芯方向に適宜間隔をあけた複数箇所にて取付けブラケット５５が溶接にて一体的に連結され、この取付けブラケット５５が受止め支持体５０にネジ５２で締め付け固定されている。そして、図４に示すように、この取付けブラケット５５は、上手側受網構成体３８に備えられた取付けブラケット５４と共締め状態でネジ５２で締め付け固定されている。
【００７２】
受止め支持体５０は、受網２２における最下端部に対応する箇所よりも回転方向下手側に寄った箇所に備えられている。従って、上手側受網構成体３８と下手側受網構成体３９とは、受網２２における最下端部に対応する箇所よりも回転方向下手側に寄った箇所にて連結される構成となっている。
【００７３】
図５及び図１０に示すように、下手側受網構成体３９における一対の横側枠部材４４の下端縁が、弓形支持体４８と前後の仕切り壁４９から機体前後方向に沿って突出する状態で形成された円弧状の受止め部材５６により受止め支持されている。又、一対の横側枠部材４４の回転方向下手側端縁が、天板２３に形成された受網支持部５７により受止め支持されている。従って、取付けブラケット５５に対するネジ５２の締結を解除すると、下手側受網構成体３９を円弧状の受止め部材５６に沿わせて脱穀装置８の左側外方に取り出すことができる。
【００７４】
受止め支持体５０よりも扱胴回転方向上手側の箇所において、受止め部材５６と同じように、弓形支持体４８と前後の仕切り壁４９から機体前後方向に沿って突出する状態で載置部材５８が備えられている。このように載置部材５８を備えることで、下手側受網構成体３９を取り出したり装着させたりするときに、下手側受網構成体３９をこの載置部材５８に仮置きして作業を楽に行うことができる。又、この載置部材５８は、下手側受網構成体３９だけでなく、上手側受網構成体３８も受止め支持することができる。
【００７５】
天板２３は、扱室１９の上方を塞ぐ閉状態と扱室１９の上方を開放する開状態とにわたり揺動開閉自在に構成されている。すなわち、図４及び図９に示すように、右側に位置する支持フレーム４７の上部側に、機体前後方向に離間した複数箇所にて枢支用のブラケット５９が備えられている。そして、天板２３に設けられた枢支部６０をブラケット５９に機体前後軸芯周りで回動自在に枢支連結してある。その結果、天板２３が、機体前後軸芯周りで回動自在に支持枠体Ｆに支持され、機体前後軸芯周りで回動させることにより、扱室１９の上方を塞ぐ閉状態と扱室１９の上方を開放する開状態とにわたり揺動開閉させることができる。
【００７６】
図１１及び図１２に示すように、入口案内板２６は、左右両側の分割案内板２６ａ，２６ｂからなり、この左右一対の分割案内板２６ａ，２６ｂのうちの右側に位置する分割案内板２６ａは、下手側受網構成体３９の形状に沿わせて全域にわたって半円筒状に形成されている。又、左側に位置する分割案内板２６ｂは、上手側受網構成体３８の形状に沿わせて半円筒状に形成される領域と、それに連なり連結部材５１の形状に沿わせて傾斜状に形成される領域とを備える構成となっている。
【００７７】
次に、選別部８Ｂについて説明する。
図３に示すように、選別部８Ｂは、受網２２から漏下した処理物を後方に移送しながら揺動選別する揺動選別部６１と、揺動選別部６１に選別風を供給する唐箕６２とを備える。揺動選別部６１は、その後下部に備えた偏心カム式の揺動駆動機構６３の作動で前後揺動するシーブケース６４を備え、そのシーブケース６４の上部に、粗選別用のグレンパン６５、チャフシーブ６６、ストローラック６７を配備し、シーブケース６４の下部に、グレンシーブ６８と、２番物選別用の前後両側のストローラック６９とが備えられている。
【００７８】
回収部８Ｃは、揺動選別部６１の下方に、揺動選別部６１の前部側から漏下して唐箕６２からの選別風を受けながら流下する単粒化穀粒を１番物として回収する１番回収部７０と、揺動選別部６１の後部側から漏下して唐箕からの選別風を受けながら流下する枝梗付き穀粒や二股粒などを２番物として回収する２番回収部７１とを、その順で前後に並ぶように配備されている。
【００７９】
１番回収部７０の底部には回収した１番物を右方に搬送する１番搬送スクリュー７２が備えられ、２番回収部７１の底部には回収した２番物を右方に搬送する２番搬送スクリュー７３が備えられている。１番搬送スクリュー７２の右端部には、１番搬送スクリュー７２が搬送した１番物を穀粒タンク９の内部に揚送する揚送装置（図示せず）が備えられてる。
【００８０】
２番搬送スクリュー７３の右端部には、２番搬送スクリュー７３が搬送した２番物に再び扱き処理を施す再処理機構７４、及び、この再処理機構７４による再処理後の２番物を粗選別用のグレンパン６５に還元搬送する２番還元スクリュー７５が連動連結されている。脱穀装置８の後部には、扱き処理に伴って排出される脱粒穀稈や選別処理によって揺動選別部６１の後方に搬出した長い稈屑などを細断して機外に排出するチョッパ７６が備えられている。
【００８１】
〔別実施形態〕
（１）上記実施形態では、上手側受網構成体３８と下手側受網構成体３９とが、受網２２における最下端部に対応する箇所よりも前記回転方向下手側に寄った箇所にて連結される構成を示したが、このような構成に代えて、図１３に示すように、上手側受網構成体３８と下手側受網構成体３９とが受網２２における最下端部に対応する箇所にて連結される構成としてもよい。
【００８２】
（２）上記実施形態では、受網２２の扱胴回転方向下手側の端部と送塵弁３２の扱胴回転方向上手側の端部との間に空間が形成される構成を示したが、このような空間を備えずに受網２２と送塵弁３２とを近接させて配備してもよい。
【００８３】
（３）上記実施形態では、天板２３に、受網２２の扱胴回転方向下手側の端部を受止め支持する受網支持部５７が備えられる構成を示したが、天板２３ではなく、脱穀装置８の支持枠体Ｆに受網支持部５７を備える構成としてもよい。
【産業上の利用可能性】
【００８４】
本発明は、扱室内に扱胴と略半円筒状の受網とが備えられ、刈り取られた作物の全部が扱室に投入されるように構成されている普通型コンバインの脱穀装置に適用できる。
【符号の説明】
【００８５】
１１              刈取部
１９              扱室
１９Ｂ            側壁
２１              扱胴
２２              受網
２３              天板
３２              送塵弁
３５              送塵弁レバー
３８              上手側受網構成体
３９              下手側受網構成体
４６，４７        支持フレーム
５１              案内部
５７              受網支持部
Ｑ１，Ｑ２，Ｑ３  空間
【図１】
2014014327.tif 000003
【図２】
2014014327.tif 000004
【図３】
2014014327.tif 000005
【図４】
2014014327.tif 000006
【図５】
2014014327.tif 000007
【図６】
2014014327.tif 000008
【図７】
2014014327.tif 000009
【図８】
2014014327.tif 000010
【図９】
2014014327.tif 000011
【図１０】
2014014327.tif 000012
【図１１】
2014014327.tif 000013
【図１２】
2014014327.tif 000014
【図１３】
2014014327.tif 000015